(57)【要約】      （修正有）【課題】カップ状の食品容器に対し、ホルダー型の包装部材を装着するための装着作業を片手でも容易、且つ安全に行なえる装置の提供を課題とする。【解決手段】カップ状の食品容器（１０）にホルダー型の包装部材（２０）を装着する装置であって、折り畳んで連結した複数の前記包装部材（２０）を収納する包装部材収納機構（３０）と、該包装部材収納機構（３０）により収納されている前記包装部材（２０）を取り出して前記食品容器（１０）に装着させる装着機構（４０）と、を備え、前記装着機構（４０）は、上部略中心が略ドーム状に突き出した押上部材（４１）を、前記食品容器（１０）の設置時には押し下げ、前記食品容器（１０）の取出時には押し上げることによって、連結された次の前記包装部材（２０）の内部に入り込ませて該包装部材（２０）を開口させ、該開口状態を保持する構成を採用する。【選択図】図６
2019172324.tif 000002
【特許請求の範囲】
【請求項１】
カップ状の食品容器（１０）にホルダー型の包装部材（２０）を装着する装置であって、
折り畳んで連結した複数の前記包装部材（２０）を収納する包装部材収納機構（３０）と、
該包装部材収納機構（３０）により収納されている前記包装部材（２０）を取り出して前記食品容器（１０）に装着させる装着機構（４０）と、
を備え、
前記装着機構（４０）は、上部略中心が略ドーム状に突き出した押上部材（４１）を、
前記食品容器（１０）の設置時には押し下げ、
前記食品容器（１０）の取出時には押し上げることによって、
連結された次の前記包装部材（２０）の内部に入り込ませて該包装部材（２０）を開口させ、
該開口状態を保持することを特徴とする包装部材装着装置（１）。
【請求項２】
前記装着機構（４０）が、
前記押上部材（４１）と、
前記押上部材（４１）を押し上げるための弾性部材（４２）と、
前記押上部材（４１）を上下に往復運動させるためのリンク機構（４３）と、
前記往復運動の動作速度を抑制するダンパー（４４）と、
により構成されることを特徴とする請求項１に記載の包装部材装着装置（１）。
【請求項３】
前記包装部材収納機構（３０）が、
複数の前記包装部材（２０）を一括して収納するため重畳的に積層させたカートリッジ（２３）を用いることを特徴とする請求項１又は請求項２に記載の包装部材装着装置（１）。
【請求項４】
前記包装部材（２０）が、突出した把手部（２１）を有する把手付包装部材（２２）であることを特徴とする請求項１から請求項３の何れかに記載の包装部材装着装置（１）。
【請求項５】
前記包装部材収納機構（３０）に、
前記包装部材（２０）又は前記把手付包装部材（２２）の取り出しを案内する案内部（３１）が設けられていることを特徴とする請求項１から請求項４の何れかに記載の包装部材装着装置（１）。
【発明の詳細な説明】
【技術分野】
【０００１】
本発明は、食品収納容器を包装する装置に関し、詳しくは、飲食料品を持ち帰る際に、食品収納容器を包装袋へ包装して持ち帰り易い状態にする一連の作業を簡易に行える装置に関するものである。
【背景技術】
【０００２】
現在、コンビニエンスストアやファーストフード店などにおいて、セルフサービス等によりコーヒーや飲食物商品をテイクアウトする際に、購入者がカップへコーヒーなどを注いで持ち帰る途中で零れたりしないように、厚紙を折り曲げた固定基台をカップの底部に敷いて、安定させた上でビニル袋に入れて持ち帰る手段を取り入れており、これが一つの主流となっている。しかしながら、係る方法による飲食物のテイクアウトでは、一つ一つを組み立てる時間と手間などが掛かる。よって、上記方法よりも低コストで簡易的な便利なシステムが求められている現状がある。
【０００３】
また、食品収納容器が上方に向かって末広がり状に広がる形状の容器である場合では、容器のテーパ部や開口縁部に係止させるホルダー型の包装部材を用いている店舗も多く、係るホルダー型の包装部材によれば、包装袋の中から食品収納容器を取り出さなくても、持ち手部だけ広げて飲食を可能とすることができる効果や、販売店の商標がそのまま見得る態様にてお客様に提供できるなどのメリットがある。
【０００４】
また、食物を簡易的な紙袋やビニル袋で提供する方法を用いると、熱い食べ物においては、直接熱が伝わったり、袋の内部で食べ物がバラバラになったりするといった不都合が生じることがある。また、荷物を持った状態では、飲み物等を片手で袋に入れることは非常に困難である。そこで、食物や飲み物が容器から零れることなく、片手でも操作できる技術の開発が望まれている。
【０００５】
このような問題に鑑みて、従来からも種々の技術提案がなされている。例えば、発明の名称を「持ち帰り梱包箱」とする技術である（特許文献１参照）。具体的には、「１枚のシート材に糊付け加工を施さず、折り曲げて構成される食品収納箱及び調理用容器の機能を持ち接着加工を施さずに固定することを特徴とした持帰り梱包箱」というものである。しかしながら、特許文献１に記載の技術は、組み立ての手間やコストの面などを考えると本発明の課題を解決するに至っていない。
【０００６】
また、発明の名称を「テイクアウト食品用容器及び同容器の持ち運び用手提げ」とする技術が開示され公知技術となっている（特許文献２参照）。具体的には、「テイクアウト食品を収容する容器であって、該容器は容器本体、中間容器及び蓋体からなり、前記容器本体は、底部が狭く、上方に開放した拡大する逆台形であり、前記中間容器は、前記容器本体の開放部に嵌合する深皿状で、周縁部に容器本体の開放部の周縁部と係合して該開放部に該中間容器を保持する係合縁部を備え、前記蓋体は中間容器上に被せて閉蓋し、上方に膨出する逆皿状であり、前記容器本体に食品を収容し、上方開放部に嵌合した中間容器に他の食品を収容し、該中間容器上に蓋体を被せるようにした、ことを特徴とするテイクアウト食品用容器」というものである。しかしながら、特許文献２に記載の技術は、中身の安定する構造を用いたものの、やはり、組み立ての手間や、コストの面などにおいて、本発明の課題を解決するに至っていない。
【０００７】
また、発明の名称を「機能性テイクアウトカップキャリア」とする技術が開示され公知技術となっている（特許文献３参照）。具体的には、「二つ以上のカップを支持できるように枠面を支える支持面が形成され、中央または側面に貫通口が形成された上部支持ブラケット及び前記上部支持ブラケットの貫通口を連結できるように挿入突起が上部に形成され、カップを運搬できるように形成された運搬用取手を含んで構成されることを特徴とする機能性テイクアウトカップキャリア」というものである。しかしながら、特許文献３に記載の技術は、構造が複雑なうえ、安定性があるとは言えず、本発明の課題を解決するに至っていない。
【先行技術文献】
【特許文献】
【０００８】
【特許文献１】特開２０１０−２８５１９８号
【特許文献２】実用新案登録第３０８６６３６号
【特許文献３】特表２０１６−５８１０１号
【発明の概要】
【発明が解決しようとする課題】
【０００９】
本発明は、カップ状の食品容器に対し、ホルダー型の包装部材を装着するための装着作業を片手でも容易、且つ安全に行なえる装置の提供を課題とするものである。
【課題を解決するための手段】
【００１０】
本発明は、カップ状の食品容器にホルダー型の包装部材を装着する装置であって、折り畳んで連結した複数の前記包装部材を収納する包装部材収納機構と、該包装部材収納機構により収納されている前記包装部材を取り出して前記食品容器に装着させる装着機構と、を備え、前記装着機構は、上部略中心が略ドーム状に突き出した押上部材を、前記食品容器の設置時には押し下げ、前記食品容器の取出時には押し上げることによって、連結された次の前記包装部材の内部に入り込ませて該包装部材を開口させ、該開口状態を保持する構成を採用する。
【００１１】
また、本発明は、前記装着機構が、前記押上部材と、前記押上部材を押し上げるための弾性部材と、前記押上部材を上下に往復運動させるためのリンク機構と、前記往復運動の動作速度を抑制するダンパーと、による構成を採用することもできる。
【００１２】
また、本発明は、前記包装部材収納機構が、複数の前記包装部材を一括して収納するため重畳的に積層させたカートリッジを用いる構成を採用することもできる。
【００１３】
また、本発明は、前記包装部材が、突出した把手部を有する把手付包装部材である構成を採用することもできる。
【００１４】
また、本発明は、前記包装部材収納機構に、前記包装部材又は前記把手付包装部材の取り出しを案内する案内部が設けられている構成を採用することもできる。
【発明の効果】
【００１５】
本発明に係る包装部材装着装置によれば、コンビニエンスストア等で買い物後に、商品を片手に持った状態で、テイクアウトサービスにおけるコーヒー等の飲料提供装置から取り出した容器を袋に包装したり、ホルダー型の包装部材へ装着して持ち帰ることを容易にできるという優れた効果を発揮する。
【００１６】
また、本発明に係る包装部材装着装置によれば、食品に直接触れることもなく、衛生的であり、また、手のひらや指先を火傷や冷えから防止できるという優れた効果を発揮する。
【００１７】
また、本発明に係る包装部材装着装置によれば、食品容器を包む為に複雑な形状にカットして折り曲げて作るトレイなどを不要とできるため、経済的であるとともに、環状の包装部材に示される商標や屋号などから、宣伝広告機能を発揮させるサービスの提供を可能とするといった優れた効果を発揮する。
【図面の簡単な説明】
【００１８】
【図１】本発明に係る包装部材装着装置の基本構成図である。
【図２】本発明に係る包装部材装着装置に食品容器が載置された状態を示す状態説明図である。
【図３】本発明に係る装着機構の構成を説明する説明図である。
【図４】本発明に係る押上部材の形状を説明する説明図である。
【図５】本発明に係る装着機構の動作における把手付包装部材の状態を示す状態説明斜視図である。
【図６】本発明に係る装着機構の動作状態を説明する動作状態説明図である。
【図７】本発明に係る包装部材装着装置の実施の態様を示す実施状態説明斜視図である。
【発明を実施するための形態】
【００１９】
本発明は、カップ状の食品容器１０にホルダー型の包装部材２０を装着する装置であって、折り畳んで連結した複数の包装部材２０を収納する包装部材収納機構３０と、該包装部材収納機構３０により収納されている包装部材２０を取り出して食品容器１０に装着させる装着機構４０を備えることを最大の特徴とするものであり、具体的には、上部中心が略ドーム状に突き出した押上部材４１を、食品容器１０の設置時には押し下げ、食品容器１０の取出時には連結された次の包装部材２０の内部に入り込んで該包装部材２０を開口させ、該開口状態を保持するものである。以下、実施例に基づいて説明する。但し、係る実施例に示した形状や構成に限定されるものではなく、本発明の技術的思想の創作として発揮する効果の得られる範囲内で変更可能である。
【００２０】
図１は、包装部材装着装置１の基本構成を示す説明図である。図１（ａ）は、食品容器１０が載置されていない状態の平面図であり、図１（ｂ）は、食品容器１０が載置されていない状態の正面図を断面視した図である。
【００２１】
包装部材装着装置１は、包装部材２０を収納する包装部材収納機構３０と、該包装部材収納機構３０により収納されている包装部材２０を取り出して、食品容器１０に装着させる装着機構４０を備えて構成されるものである。また、包装部材装着装置１は、基台となる本体部に対して上下に往復動作する押上部材４１を中心に配置し、該押上部材４１の上部に食品容器１０を載置して引き抜くことで、押上部材４１が次の包装部材２０の開口部２４に入り込んで開口させ、その状態を保持するものである。
【００２２】
図２は、包装部材装着装置１に食品容器１０を載置した状態を示す状態説明図であり、食品容器１０が載置されることにより、押上部材４１が押し下げられている状態を示したものである。図面には示していないが、係る状態において、環状に広げられた包装部材２０の開口部２４に食品容器１０が挿入され、連結された次の包装部材２０とから案内部３１を介して剥離された状態となる。
【００２３】
食品容器１０は、飲食物を収納するための容体であり、一般的に普及している円錐台状の紙コップ等であって、素材には耐熱性に優れるとともに熱を伝えにくい素材として広く用いられているものを基準とするが、特に限定されるものではない。大きさについては、包装部材２０との関係で定められることとなるが、大、小といった容量の異なる食品容器１０を用意することが一般的であるといえる。
【００２４】
包装部材２０は、食品容器１０に包装して持ち帰り易くするために、環状に食品容器１０を包み込み、内容物の温度から影響されることなく、若しくは影響を少なくして持つことを可能とするホルダー型である。素材には紙製やビニル製が考え得るが、熱伝導によって高温や低温への温度変化をしにくい素材が望ましい。一般的なビニル製とすれば薄くて済むため、収納できる積層数を多くすることができるが、可能な限り食品容器１０の形状に嵌合する形状であることが望ましい。また、一般に用いられている段ボール構造、即ち、波状に加工した紙を表裏の紙で挟んで接着し、強度を持たせたハニカム構造や、波状の紙が表面にでている片面段ボール等を用いることも断熱の面で有効である。また、ホルダー型の包装部材２０は、装着した状態で蓋を外してそのままコーヒーを飲んだりすることができるとともに、印刷された店舗名や商標などを表示したまま持ち運ばれるため、宣伝広告機能を発揮し得るなどの利点がある。
【００２５】
把手部２１は、包装部材２０の上部から更に上方へと向かって延びる持ち手となる部材である。包装部材２０が紙製であっても、ビニル製であっても、その素材に関わらず、食品容器１０の上部から更に上方に開口する穴部を備えて、持ち帰り易くするための部材である。把手部２１の数及び形状については、把手可能な数や形状であって、目的の食品容器１０を包み込んで持ち帰れるものであればよい。なお、把手部２１として突出した形状ではなく、単に把手用穴部を設けてもよい。
【００２６】
把手付包装部材２２は、環状の包装部材２０の上部から更に上方へと向かって延びる把手部２１有する包装部材２０である。
【００２７】
なお、把手部２１は、環状の包装部材２０の上部両外側に設けられ、指を通して持ちやすくするものである。把手部２１は折り畳んだ状態で積層され、装着機構４０によって包装部材２０部材が環状に押し広げられると、橋渡しされた把手部２１が展開されて指を通す穴部が現れ、持ちやすい状態となることが望ましい。なお、案内部３１を有する構成では、係る折り畳んだ状態において、該案内部３１に案内されるための突き出し形状となるように折り畳まれていることがより望ましい。
【００２８】
カートリッジ２３は、包装部材収納機構３０へ複数の包装部材２０を一括して収納すべく、折り曲げられた状態で多数積層して、重畳的に備えるユニットであり、充填作業を容易にするものである。
【００２９】
包装部材収納機構３０は、連結した包装部材２０又は把手付包装部材２２、若しくはこれらを複数集めて内装するカートリッジ２３を収納する機構である。また、包装部材収納機構３０は、カートリッジ２３内に収納された複数の包装部材２０を装着機構４０側へ押圧するか、若しくは、カートリッジ２３自体を装着機構４０側へ押圧することによって、残部の数に影響されることなく、包装部材２０を装着機構４０へ供給する構成を採用する。
【００３０】
案内部３１は、包装部材収納機構３０若しくはカートリッジ２３に設けられ、包装部材２０、又は把手付包装部材２２の上部両側を案内して引き出すための案内であり、具体的には、包装部材２０の左右の上端に割り部や穴部を設けて、積層状態から一部を取り出し、押し上げる部材によって環状に広げられる際に離脱する細い棒状部材である。また、把手付包装部材２２を用いる場合には、係る案内部３１は、折り畳まれた把手部２１等を案内する。
【００３１】
弾性板３２は、多数積層された包装部材２０を常に装着機構４０へと送り出すために、取出し方向へ向かって水平に押圧するための弾性特性を備えたバネ材等により構成される部材である。係る弾性板３２による押圧力は、包装部材２０を装着機構４０へ送り出すに必要な程度の力でよく、最初の包装部材２０から最後の包装部材２０まで可能な限り押圧力の変化の少なくなるように構成することが望ましい。なお、図面に示したような形状のみならず、コイルバネを用いた方式を採用してもよい。
【００３２】
トレイ４９は、食品容器１０の下降動作に続き、手前に引抜く動作の際に、食品容器１０を引き抜き出すための台座である。押上部材４１が最も下方へ下がった位置の近傍であって、食品容器１０を安定して引き出す位置に配置され、一端、係るトレイ４９の上に引き出し、把手部２１に指を通しやすくしてから掴みやすくすることで、取り出し易くする機能と、食品容器１０から内容物が漏れた場合の受け皿としての機能を備えるものである。
【００３３】
図３は、本発明に係る装着機構４０の構成を説明する説明図である。図３（ａ）は、押上部材４１がリンク機構４３とダンパー４４による動作の基本構成例を示し、図３（ｂ）は、その状態におけるＡ−Ａ断面を示している。
【００３４】
装着機構４０は、押上部材４１、弾性部材４２、リンク機構４３、及びダンパー４４によって構成され、上部中心が略ドーム状に突き出した押上部材４１を、食品容器１０の設置時には押し下げ、食品容器１０の取出時には押し上げることによって、連結された次の包装部材２０の内部に入り込ませて該包装部材２０を開口させ、該開口状態を保持する機構である。なお、リンク機構４３及びダンパー４４は、図面に示す構成のもののみならず、上下の動作及び速度を規制するものであれば、これらに限定されるものではなく、同様の規制効果を発揮する構造のものであれば、変更することができるものである。
【００３５】
図４は、本発明に係る押上部材４１の形状を説明する説明図である。図４（ａ）は、押上部材４１の平面図であり、図４（ｂ）は、押上部材４１の側面図である。
【００３６】
押上部材４１は、上部中心が略ドーム状に突き出した形状を有し、食品容器１０が引き抜かれることによって上昇し、次の包装部材２０を開口させる機能を発揮するとともに、その開口状態を維持することによって次の食品容器１０への装着を容易とするものである。図面に示した形状は一つの実施例であり、係る形状に限定されるものではないが、全体の形状としては半球状等であって、次に配置される包装部材２０の開口部２４内へ入り込ませるために、中心部分がやや突出する形状とした例を示したものである。
【００３７】
より具体的には、図２から図４に示すように、押上部材４１は食品容器１０を引き抜く方向に向かって中心よりやや後方に位相した位置を頂点４６として突き出された突出部４５を有し、該突出部４５は側方から見て後方側には略球状に近似の後方曲面４８を有し、頂点４６から前方に向かっては少しえぐられるような形状の前方曲面４７を有し、これらの曲面は何れもなだらかに繋がり、引っかからないように角部を有さない形状とすることで、食品容器１０が取り出される際、次の包装部材２０へ入り込み易く、開口し易く、案内部３１から離脱した後の環状形状を維持することを可能とする。
【００３８】
なお、図面に示した形状は、最適形状として示したものであるが、係る形状に限定されるものではなく、例えば、突出部４５を半球型、円錐、又は錐台としたり、或いはこれらの前方側と後方側とで曲率の相違する前方曲面４７と後方曲面４８が配置されるような形状でもよく、即ち、突出部４５が開口部２４へ入り込み易く、該頂点４６から入り込んだ突出部４５の前方曲面４７と後方曲面４８によって開口し易く、突出部４５の底部となる押上部材４１との境界付近が環状の錐面となっていることから、案内部３１から離脱した後の環状状態を維持することを可能とする形状であることが望ましい。
【００３９】
弾性部材４２は、押上部材４１を上下運動させるリンク機構４３にともない、食品容器１０の設置や取り出す動作に対応して、常に一定方向に対して力を生じさせる部材である。なお、弾性部材４２による力は、ダンパー４４の構成との関係で決定する。
【００４０】
リンク機構４３は、押上部材４１を上下に往復運動させるための機構であり、図面に示したのは、連接棒を介してダンパー４４へと繋いで、押上部材４１の動作を制御する構成を示したものである。
【００４１】
ダンパー４４は、押上部材４１の動作速度を規制する部材である。具体的には、オイルダンパー、ロータリーダンパー、エアダンパー等が考えられるが、弾性部材４２との関係で歯車機構による増減速機構等でもよい。即ち、押上部材４１が食品容器１０の動作にともない上下運動する際、特に引き抜かれた直後に、次の包装部材２０が適切な位置に配置されるまで上昇させずに、動作速度を遅らせるために用いられる調整部材である。なお、押上部材４１の中心軸の端部若しくは内部に、シリンダー式のダンパー４４を設けてリンク機構４３を不要とする構成も考え得る。
【００４２】
図５は、本発明に係る装着機構４０の動作における把手付包装部材２２の状態を示す斜視図であり、図５（ａ）は、食品容器１０が押上部材４１の上に載置される前の準備状態を示し、図５（ｂ）は、食品容器１０の動作に伴って把手付包装部材２２が少し引き出され、開口部２４に押上部材４１の突出部４５が入り込んだ状態を示し、図５（ｃ）は、開口部２４に押上部材４１が完全に挿入され、環状の形状で保持された把手付包装部材２２の状態を示している。
【００４３】
図５の各図に示されるように、本発明に係る包装部材装着装置１は、押上部材４１によって環状に開口されたホルダー型の包装部材２０を、食品容器１０を下降させる動作及び手前に引き抜く動作によって、装着させるものであり、具体的には、押上部材４１の外形形状に沿って把手付包装部材２２を開口させながら食品容器１０に対して環状に覆って装着する機能を発揮するものである。
【００４４】
また、図５では、把手付包装部材２２を実施例として、折り曲げられて積層して収納された状態を示しているが、把手付包装部材２２は、案内部３１によって保持され、装着機構４０による動作に伴い、押上部材４１の突出部４５から、前方曲面４７、及び後方曲面４８を介して環状に広げられる途中で、案内部３１から離脱し、最終的には後続の把手付包装部材２２と剥離して次の把手付包装部材２２が図５（ｃ）のように準備状態となる。
【００４５】
なお、図面では、把手付包装部材２２を用いた実施例として示しているが、係る例に限定されるものではなく、把手のない環状ホルダー型の包装部材２０でも同様の構成で利用できる。また、図５（ａ）、図５（ｂ）、及び図５（ｃ）の何れにも食品容器１０と押上部材４１は示していないが、図５（ｃ）の状態において、環状に開口した開口部２４には、上方から下方に向かって食品容器１０が挿入され、押上部材４１は開口部２４を下方から上方に向かって完全に挿入されるものである。
【００４６】
連結部２５は、包装部材２０を連結するための接着部であり、接着強度の弱い接着剤、若しくは再剥離性粘着剤を部分的に塗布することにより積層状態に連結し、装着機構４０により一部ずつ取り出し、前の包装部材２０が食品容器１０に装着されることによって切り離される構成となるように設けられるものである。また、他の構成としては、ミシン目を用いて切り離される構成でもよい。
【００４７】
図６は、本発明に係る装着機構４０の動作状態を模式的に説明する動作状態説明図である。図６（ａ）はカートリッジ２３内等に包装部材２０が積層して収納された一番右側に示された包装部材２０が開口された状態となった準備状態を示し、図６（ｂ）は食品容器１０が開口部２４に入り込んだ初期の状態を示し、図６（ｃ）は食品容器１０によって押上部材４１が押し下げられている状態を示し、図６（ｄ）は押上部材４１の往復する最下部近傍まで押し下げられた状態を示し、図６（ｅ）は食品容器１０と包装部材２０が引き出されて、次の包装部材２０を引っ張って開口させ、このとき押上部材４１の突出部４５が次の包装部材２０の開口部２４に滑り込む状態を示し、図６（ｆ）は更に食品容器１０と包装部材２０が引き出されて次の包装部材２０と剥離して離脱する状態であって、このとき開口部２４に滑り込んだ押上部材４１の突出部４５から押上部材４１の外形形状に沿って包装部材２０は開口される状態を示し、図６（ｇ）は該開口部２４が押上部材４１によって環状に形状を保持されることを示している。
【００４８】
図６（ａ）に示した通り、準備状態となった包装部材２０は折りたたまれて積層され、各包装部材２０は、一部が接着強度の弱い接着剤若しくは再剥離性粘着剤等による連結部２５を設けて連結されており、押上部材４１の反対側から弾性板３２等を用いて常に取り出し方向に押圧されて備えられる。なお、把手部２１を有する場合、把手部２１を折りたたみ、案内部３１によって案内される形状であることが望ましい。
【００４９】
図６（ｂ）に示した通り、食品容器１０が開口部２４に入り込んだ初期の状態は、食品容器１０の底部と押上部材４１が当接し、環状に開口された開口部２４へ食品容器１０の底部を利用者が入れ込んだ状態である。この時、包装部材２０は、食品容器１０の底部よりも大きな環状となるよう、押上部材４１の外周に沿って広げられている。
【００５０】
図６（ｃ）に示した通り、食品容器１０が更に下降すると、それにともなって押上部材４１も所定の位置まで押し下げられることとなる。
【００５１】
図６（ｄ）に示した通り、下降した押上部材４１がリンク機構４３による最下部近傍で食品容器１０の底面とトレイ４９の位置が合うように設定されている。このような構成とすることにより、利用者は最も低い位置まで押し下げることにより、手前に引く位置を認識することが可能となる。
【００５２】
図６（ｅ）に示した通り、リンク機構４３による最下部近傍から手前側に食品容器１０を引き抜く初期の状態では、次の包装部材２０が連結部２５により引っ張られて開口部２４を創出し始めることとなる。この時、食品容器１０の底部はトレイ４９に乗り、水平に移動するよう案内される。
【００５３】
図６（ｆ）に示した通り、水平に移動された食品容器１０が、完全にトレイ４９上に載置される手前で連結部２５が剥離し、次の包装部材２０の開口した開口部２４内に突出部４５が入り込み、この時、開口部２４に滑り込んだ押上部材４１の突出部４５から押上部材４１の外形形状に沿って包装部材２０は開口される状態となる。
【００５４】
図６（ｇ）に示した通り、食品容器１０が引き抜かれると、押上部材４１の外周に沿って包装部材２０が開口し、その状態を維持することによって次の食品容器１０を受け入れる準備状態となる。なお、図６（ｅ）から図６（ｇ）にかけての押上部材４１の動作については、ダンパー４４により食品容器１０を引き抜く動作に対してやや遅れるように構成し、十分に突出部４５が挿入できる大きさに開口部２４が広げられるまで上昇せず、十分な大きさの開口部２４が得られてから上昇させるためのダンパー４４を用いたリンク機構４３によって係る動作をさせることが望ましい。
【００５５】
本発明に係る包装部材装着装置１は、図６に示す一連の動作をさせることで、包装部材収納機構３０によって収納された包装部材２０を装着機構４０によって食品容器１０に装着させるものである。
【００５６】
図７は、本発明に係る包装部材装着装置１の実施の態様を示す実施状態説明斜視図である。図７（ａ）は、本発明に係る包装部材装着装置１を独立して構成させるための躯体に内装させた状態であって、食品容器１０を押上部材４１に当接させるように載置した状態を示し、図７（ｂ）は、食品容器１０を上方から下方へ押し下げて包装部材２０を装着した状態を示している。図面に示した構成は、あくまで実施例であって、係る躯体に内装されるのみならず、包装部材収納機構３０及び装着機構４０を設けるものであれば、躯体の形状や構成については特に限定されるものではない。
【産業上の利用可能性】
【００５７】
本発明に係る包装部材装着装置によれば、コンビニエンスストアやスーパーマーケット等に用いられているコーヒー提供装置のすぐ脇で利用する利用体系以外にも、これらの装置に本発明の構成を内装させたり、既に設置されているカップ状の食品容器で飲料を提供する自動販売機に設けるなど、産業上利用可能性は高いと思慮されるものである。
【符号の説明】
【００５８】
１    包装部材装着装置
１０  食品容器
２０  包装部材
２１  把手部
２２  把手付包装部材
２３  カートリッジ
２４  開口部
２５  連結部
３０  包装部材収納機構
３１  案内部
３２  弾性板
４０  装着機構
４１  押上部材
４２  弾性部材
４３  リンク機構
４４  ダンパー
４５  突出部
４６  頂点
４７  前方曲面
４８  後方曲面
４９  トレイ
【図１】
2019172324.tif 000003
【図２】
2019172324.tif 000004
【図３】
2019172324.tif 000005
【図４】
2019172324.tif 000006
【図５】
2019172324.tif 000007
【図６】
2019172324.tif 000008
【図７】
2019172324.tif 000009